(57)【要約】【課題】柔軟な繊維で全てのパイルを構成しても各パイルを倒れ難くすることが可能なベロア材及びベロア材の製造方法を提供する。【解決手段】クリーニングブラシ３０は、タテ糸３１ａとヨコ糸３１ｂとを織ってなる基布３１と、該基布３１に織り込まれて該基布３１上に立設された複数のパイル３２とを備えている。基布３１上の中央部にはパイル３２が立設されない非立設領域Ｒが形成されており、各パイル３２は、非立設領域Ｒを挟んで対称となるように配置されるとともに、該非立設領域Ｒ側に傾斜している。【選択図】図３
2010139979.tif 000002
【特許請求の範囲】
【請求項１】
糸を織ってなる基布と、該基布に織り込まれて該基布上に立設された複数のパイルとを備えたベロア材であって、
前記基布上には前記パイルが立設されない非立設領域が形成され、
前記各パイルは、前記非立設領域を挟んで対称となるように配置されるとともに、該非立設領域側に傾斜していることを特徴とするベロア材。
【請求項２】
前記各パイルの傾斜方向において該各パイルを直接挟む２本の前記糸のうち前記非立設領域から遠い方の糸は前記非立設領域から近い方の糸よりも、前記基布上に連続的に露出して該各パイルの締め付けに寄与する部分の長さが長くなっていることを特徴とする請求項１に記載のベロア材。
【請求項３】
前記各パイルの傾斜方向において該各パイルを直接挟む２本の前記糸のうち前記非立設領域から遠い方の糸は前記非立設領域から近い方の糸よりも太くなっていることを特徴とする請求項１または請求項２に記載のベロア材。
【請求項４】
前記各パイルは該各パイルの傾斜方向と直交する方向に沿って千鳥状に配置されていることを特徴とする請求項１〜請求項３のうちいずれか一項に記載のベロア材。
【請求項５】
前記各パイルは導電性を有することを特徴とする請求項１〜請求項４のうちいずれか一項に記載のベロア材。
【請求項６】
糸を織ってなる基布上にパイルが立設されない非立設領域を形成するとともに複数のパイルを前記非立設領域を挟んで対称配置となるように該基布上に織り込んで立設する際に、
前記非立設領域の延びる方向と直交する方向において前記各パイルを直接挟む２本の前記糸のうち前記非立設領域から遠い方の糸によって前記各パイルが締め付けられる力の方が前記非立設領域から近い方の糸によって前記各パイルが締め付けられる力よりも大きくなるようにして前記各パイルを前記非立設領域側に傾斜させることを特徴とするベロア材の製造方法。
【請求項７】
糸を織ってなる基布上にパイルが立設されない非立設領域を形成するとともに複数のパイルを前記非立設領域を挟んで対称配置となるように該基布上に織り込んで立設する織り込みステップと、
前記各パイルに熱を付与しながら該各パイルを前記非立設領域側に押圧する熱押圧ステップと
を備えたことを特徴とするベロア材の製造方法。
【発明の詳細な説明】
【技術分野】
【０００１】
本発明は、例えば画像形成装置において、感光ドラムを帯電させる帯電ブラシ、帯電された感光ドラムの静電気を除去する除電ブラシ、感光ドラムに付着したトナーや紙粉などを掻き取って除去するクリーニングブラシ等として使用されるベロア材及びベロア材の製造方法に関する。
【背景技術】
【０００２】
従来、画像形成装置におけるブラシに用いられるベロア材としては、特許文献１に示すものが知られている。この特許文献１のベロア材は、基布上に複数のパイル列が幅方向と直交する方向に沿うように形成されたものであり、各パイル列を構成するパイルの先端が感光ドラムに摺接するように配置されて該感光ドラムの表面に付着したトナーを掻き取るブラシとして用いられている。こうしたブラシには、一般に、次の２つの特性が要求される。１つは、感光ドラムの表面にパイルが常に一定の圧力で接触することがトナーの掻き取り性能を維持する上で望ましいため、不規則なパイルの倒れや乱れが発生しないことであり、もう一つは、感光ドラムの表面に傷を付けないようにするため、パイルが柔軟で摺動抵抗が低いことである。
【特許文献１】特開２００２−２０９６３４号公報
【発明の開示】
【発明が解決しようとする課題】
【０００３】
ところで、特許文献１のベロア材は、幅方向における両端のパイル列を剛性の高い繊維で構成している。そして、これらのパイル列によってこれら両パイル列の間に位置する柔軟な繊維で構成された他のパイル列を幅方向の両側から支えて倒れ難くする構成になっている。このため、各パイル列を倒れ難くすることはできるものの、剛性の高い繊維で構成されたパイル列の存在によりどうしても感光ドラムの表面に傷が付くことを抑えることができない場合があった。
【０００４】
この発明は、このような従来技術に存在する問題点に着目してなされたものである。その目的とするところは、柔軟な繊維で全てのパイルを構成しても各パイルを倒れ難くすることが可能なベロア材及びベロア材の製造方法を提供することにある。
【課題を解決するための手段】
【０００５】
上記の目的を達成するために、請求項１に記載の発明は、糸を織ってなる基布と、該基布に織り込まれて該基布上に立設された複数のパイルとを備えたベロア材であって、前記基布上には前記パイルが立設されない非立設領域が形成され、前記各パイルは、前記非立設領域を挟んで対称となるように配置されるとともに、該非立設領域側に傾斜していることを要旨とする。
【０００６】
上記構成によれば、非立設領域を挟んだ両側の対応する各パイル同士が該非立設領域上で支え合うため、柔軟な繊維で全てのパイルを構成しても各パイルを倒れ難くすることが可能となる。
【０００７】
請求項２に記載の発明は、請求項１に記載の発明において、前記各パイルの傾斜方向において該各パイルを直接挟む２本の前記糸のうち前記非立設領域から遠い方の糸は前記非立設領域から近い方の糸よりも、前記基布上に連続的に露出して該各パイルの締め付けに寄与する部分の長さが長くなっていることを要旨とする。
【０００８】
上記構成によれば、各パイルの傾斜方向において該各パイルを直接挟む２本の糸間で各パイルに対する締め付け力に差が生じるようになる。すなわち、２本の糸から各パイルに作用する締め付け力は、各パイルの傾斜方向において非立設領域側とは反対側の方向に働くものよりも非立設領域側の方向に働くものの方が大きくなる。このため、基布を構成する糸の織り方を変更するだけで、該各パイルを非立設領域側へ容易に傾斜させることが可能となる。
【０００９】
請求項３に記載の発明は、請求項１または請求項２に記載の発明において、前記各パイルの傾斜方向において該各パイルを直接挟む２本の前記糸のうち前記非立設領域から遠い方の糸は前記非立設領域から近い方の糸よりも太くなっていることを要旨とする。
【００１０】
上記構成によれば、各パイルの傾斜方向において該各パイルを直接挟む２本の糸間で太さに差を持たせることで、該２本の糸間で各パイルに対する締め付け力に差が生じるようになる。すなわち、各パイルに作用する締め付け力は太い糸ほど大きくなるため、各パイルの傾斜方向において非立設領域側とは反対側の方向に働く締め付け力よりも非立設領域側の方向に働く締め付け力の方が大きくなる。このため、基布を構成する糸の織り方を単純な平織りにしても、各パイルを非立設領域側へ容易に傾斜させることが可能となる。
【００１１】
請求項４に記載の発明は、請求項１〜請求項３のうちいずれか一項に記載の発明において、前記各パイルは該各パイルの傾斜方向と直交する方向に沿って千鳥状に配置されていることを要旨とする。
【００１２】
上記構成によれば、非立設領域を挟む両側の各パイルを該非立設領域側に傾斜させる際に、内側の各パイル間の隙間に外側の各パイルが入り込み易くなる。このため、内側の各パイルが外側の各パイルを傾斜させる際の妨げとなることを抑制することが可能となる。
【００１３】
請求項５に記載の発明は、請求項１〜請求項４のうちいずれか一項に記載の発明において、前記各パイルは導電性を有することを要旨とする。
上記構成によれば、各パイルに静電気が溜まり難くなるため、静電気による各パイルへの粉粒体や塵埃等の異物の付着を抑制することが可能となる。
【００１４】
請求項６に記載の発明は、糸を織ってなる基布上にパイルが立設されない非立設領域を形成するとともに複数のパイルを前記非立設領域を挟んで対称配置となるように該基布上に織り込んで立設する際に、前記非立設領域の延びる方向と直交する方向において前記各パイルを直接挟む２本の前記糸のうち前記非立設領域から遠い方の糸によって前記各パイルが締め付けられる力の方が前記非立設領域から近い方の糸によって前記各パイルが締め付けられる力よりも大きくなるようにして前記各パイルを前記非立設領域側に傾斜させることを要旨とする。
【００１５】
上記構成によれば、糸により各パイルが該各パイルの傾斜方向において非立設領域側とは反対側の方向に締め付けられる力よりも非立設領域側の方向に締め付けられる力の方が大きくなるため、各パイルを非立設領域側へ容易に傾斜させることが可能となる。
【００１６】
請求項７に記載の発明は、糸を織ってなる基布上にパイルが立設されない非立設領域を形成するとともに複数のパイルを前記非立設領域を挟んで対称配置となるように該基布上に織り込んで立設する織り込みステップと、前記各パイルに熱を付与しながら該各パイルを前記非立設領域側に押圧する熱押圧ステップとを備えたことを要旨とする。
【００１７】
上記構成によれば、開いた各パイルが熱を付与されながら非立設領域側へ押圧されるので、該各パイルの開きを効果的に抑制することが可能となる。
【発明の効果】
【００１８】
本発明によれば、柔軟な繊維で全てのパイルを構成しても各パイルを倒れ難くすることが可能なベロア材及びベロア材の製造方法を提供することができる。
【発明を実施するための最良の形態】
【００１９】
以下、本発明のベロア材を画像形成装置に用いられるクリーニングブラシに具体化した一実施形態を、図面に基づいて説明する。
図１に示すように、画像形成装置１０内において、感光ドラム１１は、支軸１１ａにより回転可能に支持され、その表面において帯電可能に構成されている。感光ドラム１１の周囲には、その上方位置から回転方向（図１では時計方向）に沿って順番に帯電部１２、露光部１３、現像部１４、転写部１５、クリーニング部１６及び除電部１７が配設されている。
【００２０】
この感光ドラム１１は回転時にその表面が帯電部１２により帯電され、その帯電された表面に露光部１３により静電潜像が形成された後、その静電潜像が形成された表面に現像部１４から微細な粉粒体であるトナーが供給されて付着する。そして、転写部１５により感光ドラム１１及び転写部１５間に供給された記録用紙１８にトナーによる可視像が転写された後、クリーニング部１６で感光ドラム１１の表面に残留するトナーが除去され、除電部１７で感光ドラム１１の表面に残留する電荷が消去される。
【００２１】
クリーニング部１６は略四角箱状をなすハウジング１６ａを備えており、該ハウジング１６ａにおける感光ドラム１１と対向する側は開口している。ハウジング１６ａ内の上部には感光ドラム１１に対向するように支持板１９が設けられている。支持板１９における感光ドラム１１との対向面には該支持板１９と感光ドラム１１との間の隙間を塞ぐようにベロア材としてのクリーニングブラシ３０が貼着されている。
【００２２】
クリーニングブラシ３０は複数のパイル３２を有しており、該各パイル３２は感光ドラム１１の表面に摺接している。したがって、感光ドラム１１の表面に残留するトナーはクリーニングブラシ３０の各パイル３２によって掻き取られ、掻き取られたトナー、紙粉等はハウジング１６ａ内の回収口１６ｂから回収されるようになっている。
【００２３】
次に、クリーニングブラシ３０の構成について詳述する。
図２及び図３に示すように、クリーニングブラシ３０は、織布よりなる平面視矩形状をなす基布３１と、該基布３１に複数のパイル３２を略Ｕ字状をなすように織り込んで該基布３１上に立設された複数のパイル３２とを備えている。基布３１上における短手方向の中央部には、該基布３１上において各パイル３２が立設されない領域である非立設領域Ｒが長手方向に沿って延設されている。
【００２４】
基布３１の裏面には合成樹脂製のコーティング剤によって構成されたコーティング層３３が設けられており、該コーティング層３３により各パイル３２の根元と基布３１とが強固に接合されている。コーティング層３３の裏面には貼付層３４が設けられており、この貼付層３４によりクリーニングブラシ３０が画像形成装置１０内におけるクリーニング部１６の支持板１９に貼着されるようになっている。
【００２５】
基布３１には、耐久性、柔軟性が高い材料よりなる織布が使用される。このような材料としては、ポリエステル、ポリプロピレン、アクリル樹脂、ポリアミド及びウレタン樹脂等が挙げられる。本実施形態の基布３１には、ポリエステル製の繊維よりなるタテ糸３１ａ及びヨコ糸３１ｂを織りなすことによって構成された織布が使用されている。
【００２６】
図４及び図５に示すように、基布３１上の各パイル３２は、非立設領域Ｒを挟んで対称となるように配置されるとともに、非立設領域Ｒ側に傾斜している。すなわち、基布３１上の各パイル３２は、非立設領域Ｒの中央に沿って基布３１の長手方向に延びるとともに該基布３１を２等分する中央線Ｌを対称の軸として線対称となるようにそれぞれ配置されている。また、基布３１上において非立設領域Ｒを挟んで両側に２列ずつ列をなすように配置された各パイル３２は、それぞれ各パイル３２の傾斜方向と直交する方向である基布３１の長手方向に沿って千鳥状に配置されている。したがって、基布３１上には各パイル３２によって４列のパイル列が形成され、該各パイル列は互いに平行となるように基布３１の長手方向に沿って延びている。
【００２７】
図５に示すように、各パイル３２の傾斜方向（基布３１の短手方向）において該各パイル３２を直接挟む２本のタテ糸３１ａのうち非立設領域Ｒから遠い方のタテ糸３１ａは非立設領域Ｒから近い方のタテ糸３１ａよりも、基布３１上に連続的に露出して該各パイル３２の締め付けに寄与する部分の長さが長くなっている。すなわち、図５において、タテ糸３１ａにおける斜線Ａで示す部分（各パイル３２の締め付けに寄与する部分）は各パイル３２を非立設領域Ｒ側へ向かって締め付ける外側締め付け部３１ａＡとされるとともにタテ糸３１ａにおける斜線Ｂで示す部分（各パイル３２の締め付けに寄与する部分）は各パイル３２を非立設領域Ｒ側とは反対側へ向かって締め付ける内側締め付け部３１ａＢとされ、各外側締め付け部３１ａＡの長さは対応する各内側締め付け部３１ａＢの長さよりも長くなっている。
【００２８】
換言すれば、外側締め付け部３１ａＡは、各パイル３２と接触し、且つ該外側締め付け部３１ａＡの両端部と接触する２本のヨコ糸３１ｂによって挟まれ、且つ該２本のヨコ糸３１ｂで挟まれた２本のヨコ糸３１ｂよりも上側に位置して基布３１上に露出している。一方、内側締め付け部３１ａＢは、各パイル３２と接触し、且つ該内側締め付け部３１ａＢの両端部と接触する２本のヨコ糸３１ｂによって挟まれ、且つ該２本のヨコ糸３１ｂで挟まれた１本のヨコ糸３１ｂよりも上側に位置して基布３１上に露出している。
【００２９】
ここで、外側締め付け部３１ａＡ及び内側締め付け部３１ａＢによって各パイル３２に付与される締め付け力は、外側締め付け部３１ａＡ及び内側締め付け部３１ａＢの長さに比例して大きくなる。このため、内側締め付け部３１ａＢよりも長い外側締め付け部３１ａＡによって各パイル３２に付与される締め付け力は、外側締め付け部３１ａＡよりも短い内側締め付け部３１ａＢによって各パイル３２に付与される締め付け力よりも大きくなる。この結果、各パイル３２は、外側締め付け部３１ａＡから付与される締め付け力と内側締め付け部３１ａＢから付与される締め付け力との差により、必然的にスペースに余裕のある非立設領域Ｒ側に傾斜する。
【００３０】
また、各パイル３２は導電性を有する導電性繊維によって構成されており、該導電性繊維には耐久性及び柔軟性が高く且つ摺動性に優れたものを用いることが好ましい。本実施形態の導電性繊維には、導電性物質としての炭素が原糸段階で練り込まれたアクリル繊維（東レ製、商品名；ＳＡ−７、比抵抗率が１０５〜１０８Ω・ｃｍ）が用いられている。なお、導電性繊維は、その比抵抗率が１０−２〜１０８Ω・ｃｍの範囲内に設定されることが好ましい。比抵抗率が１０−２Ω・ｃｍ未満の場合には各パイル３２から抜け落ちた繊維が画像形成装置１０内で高電圧部に付着することにより短絡して装置の故障を招くおそれがある一方、比抵抗率が１０８Ω・ｃｍよりも大きい場合には静電気を除去する効果が十分に得られなくなるおそれがある。こうした比抵抗率の範囲は、設計思想に基づき適宜変更される。
【００３１】
上術のような条件を満たす繊維としては、レーヨン繊維、キュプラ繊維等の再生繊維、フッ素繊維、ポリアミド繊維、アクリル繊維、ポリプロピレン繊維、ポリエステル繊維等の合成繊維等が挙げられる。上記に挙げた各種繊維に導電性を付与する方法としては、原糸段階において導電性物質を練り込む、又は溶融紡糸法等により１本の繊維中に導電性物質が練り込まれた導電性の部分と導電性物質を練り込まない非導電性の部分とを有する複層構造にする方法と、紡糸後に導電性物質を含む加工液によって繊維表面を被覆する方法とがある。このような導電性物質としては、銀、銅、ニッケル等の金属、酸化亜鉛、酸化錫等の金属化合物、炭素等の微粒子が挙げられる。
【００３２】
本実施形態の各パイル３２は、基布３１上に導電性繊維を束ねてなる複数本のパイル糸をパイル織りによって織り込むことで基布３１上に立設されている。パイル織りはパイル３２を形成するパイル糸を基布３１のヨコ糸３１ｂに絡ませるようにして織り込む方法である。基布３１のヨコ糸３１ｂにパイル糸を絡ませる方法には、Ｕ織り、Ｗ織り等があり、使用部位あるいは使用目的により使い分けされる。本実施形態において、各パイル３２を形成するパイル糸は基布３１のヨコ糸３１ｂに対しＵ字状に絡ませるようにして織り込まれている。
【００３３】
また、導電性繊維を用いてパイル糸を形成する際には、導電性繊維の単繊維当たりの太さを１〜２０デシテックスの範囲内に設定することが好ましい。導電性繊維の単繊維当たりの太さが、１デシテックス未満の場合には導電性繊維の強度が低下して毛切れが生じやすくなるおそれがあり、２０デシテックスよりも太い場合には導電性繊維の柔軟性が低下して感光ドラム１１に対する摺動抵抗が大きくなるおそれがある。本実施形態の導電性繊維よりなるパイル糸は、太さが約７デシテックスの単繊維を撚り合わせ、その太さが３３０デシテックス／４８フィラメントとなるように形成されている。
【００３４】
基布３１上に各パイル３２を立設する際、パイル織りされる導電性繊維の本数は、１平方インチあたり１万〜３０万本とすることが好ましい。１平方インチの範囲内にパイル織りされる導電性繊維の本数が１万本未満の場合には各パイル３２の導電性が良好に発揮されなくなるおそれがある。一方、１平方インチの範囲内にパイル織りされる導電性繊維の本数を３０万本より多くしても各パイル３２の導電性がこれ以上向上することはない。
【００３５】
図３に示すように、コーティング層３３を形成するコーティング剤としては、スチレン−ブタジエン共重合ゴム等のゴム系溶剤型接着剤、又はエチレン−アクリル酸エステル共重合体、エチレン−酢酸ビニル共重合体、ポリメタクリル酸メチル等の接着性樹脂が用いられる。これらのコーティング剤は、基布３１を形成するタテ糸３１ａ及びヨコ糸３１ｂ同士の間に合浸され、各糸３１ａ，３１ｂ及び各パイル３２の根元を強固に保持するとともに、各糸３１ａ，３１ｂのほつれを抑制している。なお、クリーニングブラシ３０は各パイル３２が十分な導電性を有しているが、このコーティング層３３に導電性を付与することにより、各パイル３２の導電性をより良好に発揮することができるため、コーティング剤には導電性を有するものを用いることが好ましい。コーティング層３３に導電性を付与する方法としては、コーティング剤に上述した導電性物質を練り込む方法が挙げられる。
【００３６】
貼付層３４には、芯材を有しないもの、又は芯材を有しその両面に粘着剤を塗布した感圧接着剤が用いられる。また、貼付層３４には、コーティング層３３と同様に導電性を有するものを用いることが好ましい。本実施形態の貼付層３４は、アルミニウム製の薄膜を芯材３４ａとし、この芯材３４ａの表面及び裏面に導電性を有するアクリル系の感圧接着剤３４ｂが塗布された両面粘着テープ（寺岡製作所製、商品名；導電性アルミ箔両面テープ、ＮＯ．７９１）により形成されている。
【００３７】
次に、クリーニングブラシ３０の製造方法について説明する。
クリーニングブラシ３０を製造する場合には、まず、タテ糸３１ａとヨコ糸３１ｂとを織ってなる基布３１上の中央部に各パイル３２が立設されない非立設領域Ｒを形成するとともに各パイル３２を非立設領域Ｒを挟んで対称配置となるようにヨコ糸３１ｂにＵ字状に絡めて該基布３１上に立設する。
【００３８】
このとき、非立設領域Ｒの延びる方向と直交する方向において各パイル３２を直接挟む２本のタテ糸３１ａのうち非立設領域Ｒから遠い方のタテ糸３１ａによって各パイル３２が締め付けられる力の方が非立設領域Ｒから近い方のタテ糸３１ａによって各パイル３２が締め付けられる力よりも大きくなるようにして各パイル３２を非立設領域Ｒ側に傾斜させる。
【００３９】
すなわち、各パイル３２に非立設領域Ｒ側とは反対側から隣接する位置に外側締め付け部３１ａＡを形成するとともに各パイル３２に非立設領域Ｒ側から隣接する位置に内側締め付け部３１ａＢを形成して各パイル３２を非立設領域Ｒ側に傾斜させる。この場合、上述したように外側締め付け部３１ａＡが各パイル３２を非立設領域Ｒ側へ締め付ける力は内側締め付け部３１ａＢが各パイル３２を非立設領域Ｒ側とは反対側へ締め付ける力よりも大きいため、各パイル３２は必然的にスペースに余裕のある非立設領域Ｒ側に傾斜される。
【００４０】
その後、基布３１の裏面にコーティング層３３及び貼付層３４を形成することで、クリーニングブラシ３０が得られる。
次に、クリーニングブラシ３０の作用について説明する。
【００４１】
さて、図１に示すように、クリーニングブラシ３０は、その各パイル３２が感光ドラム１１の表面に摺接するようにして、クリーニング部１６のハウジング１６ａ内の支持板１９に貼付層３４を介して接合される。このとき、クリーニングブラシ３０は、その長手方向が支軸１１ａと平行となるように配置される。
【００４２】
この状態で、感光ドラム１１が回転されると、感光ドラム１１の表面に残留するトナーは、クリーニングブラシ３０の各パイル３２によって掻き取られてハウジング１６ａ内に回収される。このとき、トナーは静電気を帯びているが、各パイル３２が導電性繊維より形成されているため、トナーに帯電した静電気が該各パイル３２を介して放電される。したがって、各パイル３２によって掻き取られたトナーは、該各パイル３２に付着し難くなるので、効率よくハウジング１６ａ内に回収される。
【００４３】
ここで、こうしたクリーニングブラシは、通常、経時劣化、印刷枚数の増加等により各パイルが毛倒れしたり毛開きしたりしようとする。特に、各パイルが柔軟性や摺動性の高いものである場合には、感光ドラム１１の表面を傷つけることはほとんどないものの、毛倒れや毛開きがより一層ひどくなる。
【００４４】
この点、本実施形態のクリーニングブラシ３０は、各パイル３２が全て高い柔軟性と摺動性を兼ね備えた導電性繊維によって構成されているが、非立設領域Ｒを挟んだ両側の対応する各パイル３２同士が該非立設領域Ｒ上で支え合うため、各パイル３２が倒れ難くなり、毛倒れや毛開きが効果的に抑制される。このため、クリーニングブラシ３０によるトナーの掻き取り性能が長期間良好に維持される。また、クリーニングブラシ３０の各パイル３２を構成する導電性繊維には全て同じものが用いられているため、各パイル３２間での導電性に差が生じることがなく、各パイル３２において一様に安定した導電性能を発揮することができる。
【００４５】
以上詳述した実施形態によれば次のような効果が発揮される。
（１）クリーニングブラシ３０の各パイル３２は、基布３１の中央部に位置する非立設領域Ｒを挟んで対称となるように配置されるとともに、該非立設領域Ｒ側に傾斜している。このため、非立設領域Ｒを挟んだ両側の対応する各パイル３２同士が該非立設領域Ｒ上でバランスよく支え合うため、感光ドラム１１の表面に対する摺動抵抗の低い柔軟な導電性繊維で全てのパイル３２を構成しても、各パイル３２を倒れ難くすることができ、各パイル３２の毛倒れや毛開きを効果的に抑制することができる。
【００４６】
（２）各パイル３２は該各パイルの傾斜方向において外側締め付け部３１ａＡ及び内側締め付け部３１ａＢによって直接挟まれた状態で締め付けられており、内側締め付け部３１ａＢよりも非立設領域Ｒから遠い位置にある外側締め付け部３１ａＡの長さは内側締め付け部３１ａＢの長さよりも長くなっている。このため、各パイル３２を締め付ける力は内側締め付け部３１ａＢよりも外側締め付け部３１ａＡの方が強くなる。したがって、基布３１の織り方を変更（調整）するだけで、該各パイル３２を非立設領域Ｒ側へ容易に傾斜させることができる。
【００４７】
（３）各パイル３２は該各パイル３２の傾斜方向と直交する方向に沿って千鳥状に配置されているため、非立設領域Ｒを挟む両側の各パイル３２を該非立設領域Ｒ側に傾斜させる際に、内側（非立設領域Ｒに近い側）の各パイル３２間の隙間に外側（非立設領域Ｒから遠い側）の各パイル３２が入り込み易くなる。このため、内側の各パイル３２が外側の各パイル３２を傾斜させる際の妨げとなることを抑制することができる。すなわち、内側の各パイル３２が障害となることなく、外側の各パイル３２を十分に傾斜させることができる。
【００４８】
（４）各パイル３２は導電性繊維によって構成されているため、該各パイルに静電気が溜まり難くすることができる。このため、各パイル３２によって感光ドラム１１の表面に残留するトナーを掻き取る際に、静電気によって各パイル３２にトナーが付着することを効果的に抑制することができる。
【００４９】
（変更例）
なお、上記実施形態は、次のように変更して具体化することも可能である。
・図６に示すように、クリーニングブラシ３０の製造方法は、以下のように変更してもよい。まず、タテ糸３１ａとヨコ糸３１ｂとを平織りにしてなる基布３１上の中央部に各パイル３２が立設されない非立設領域Ｒを形成するとともに各パイル３２を非立設領域Ｒを挟んで対称配置となるようにヨコ糸３１ｂにＵ字状に絡めて該基布３１上に立設する（織り込みステップ）。
【００５０】
織り込みステップを行った後、熱板４０によって各パイル３２に熱を付与しながら該各パイル３２を非立設領域Ｒ側へ押圧する（熱押圧ステップ）。すなわち、搬送台４１上に熱板４０で形成したトンネルを設け、熱板４０を加熱しながらトンネル内に織り込みステップで形成した各パイル３２及び基布３１を長手方向に沿って搬送してくぐらせることで、短手方向に開いた各パイル３２をスペースに余裕のある非立設領域Ｒ側へ矯正する。この場合、熱板４０の側壁４０ａは基布３１と垂直になっている。その後、基布３１の裏面にコーティング層３３及び貼付層３４を形成する。このようにすれば、基布３１を単純な平織りの織布によって構成しても、基布３１の短手方向に開いた各パイル３２が熱板４０の側壁４０ａによって非立設領域Ｒ側へ押圧されながら熱を付与されるので、該各パイル３２の開きを効果的に抑制することができる。
【００５１】
・図６に示した熱板４０の側壁４０ａを、図７に示すように内側に傾斜させるようにしてもよい。このようにすれば、基布３１の短手方向に開いた各パイル３２が熱板４０の側壁４０ａによって非立設領域Ｒ側へより一層強く押圧されながら熱を付与されるので、該各パイル３２の開きをより一層効果的に抑制することができる。
【００５２】
・各パイル３２の傾斜方向において該各パイル３２を直接挟む２本のタテ糸３１ａのうち非立設領域Ｒから遠い方のタテ糸３１ａの太さを非立設領域Ｒから近い方のタテ糸３１ａよりも太くしてもよい。このようにすれば、各パイル３２を非立設領域Ｒ側に向かって締め付ける力の方が各パイル３２を非立設領域Ｒ側とは反対側に向かって締め付ける力よりも大きくなるため、基布３１を構成するタテ糸３１ａの織り方を単純な平織りにしても、各パイル３２を非立設領域Ｒ側へ容易に傾斜させることができる。
【００５３】
・各外側締め付け部３１ａＡの長さが対応する各内側締め付け部３１ａＢの長さよりも長くなっていれば、基布３１の織り方を適宜変更して各外側締め付け部３１ａＡ及び各内側締め付け部３１ａＢの長さを変更してもよい。但し、各外側締め付け部３１ａＡ及び各内側締め付け部３１ａＢの長さは、長くしすぎると基布３１を構成しているタテ糸３１ａ及びヨコ糸３１ｂが緩んでしまうので、これらが緩まない程度に設定する必要がある。
【００５４】
・各パイル３２は必ずしも導電性繊維で構成する必要はない。すなわち、各パイル３２を構成する繊維は、全て非導電性繊維であってもよいし、非導電性繊維と導電性繊維との両方を含んでいてもよい。
【００５５】
・各パイル３２は必ずしも基布３１の長手方向に沿って千鳥状に配置する必要はない。
・ベロア材は、クリーニングブラシ３０として使用するだけでなく、感光ドラム１１を帯電させるための帯電ブラシや帯電された感光ドラム１１の静電気を除去するための除電ブラシとして使用してもよい。あるいは、ベロア材を、画像形成装置１０以外の用途、例えばエチケットブラシや電気掃除機用の回転ブラシ等として使用してもよい。
【図面の簡単な説明】
【００５６】
【図１】実施形態の画像形成装置を示す概略構成図。
【図２】実施形態のクリーニングブラシを示す斜視図。
【図３】実施形態のクリーニングブラシを示す断面図。
【図４】実施形態において、基布上の各パイルの配置状態を示す簡略断面図。
【図５】実施形態において、基布上の各パイルの立設状態を示す簡略斜視図。
【図６】変更例において、熱を付与しながら各パイルを非立設領域側へ押圧する際の状態を示す簡略図。
【図７】変更例において、熱を付与しながら各パイルを非立設領域側へ押圧する際の状態を示す簡略図。
【符号の説明】
【００５７】
３０…ベロア材としてのクリーニングブラシ、３１…基布、３１ａ…タテ糸、３１ｂ…ヨコ糸、３２…パイル、Ｒ…非立設領域。
【図１】
2010139979.tif 000003
【図２】
2010139979.tif 000004
【図３】
2010139979.tif 000005
【図４】
2010139979.tif 000006
【図５】
2010139979.tif 000007
【図６】
2010139979.tif 000008
【図７】
2010139979.tif 000009